(57)【要約】【課題】ユニフォミティの悪化を抑制しつつ、標章を配置することのできる空気入りタイヤを提供すること。【解決手段】タイヤ周方向に延びる複数の主溝３０と、主溝３０により区画される複数の陸部２０と、タイヤ幅方向に延びると共に、少なくとも一端が陸部２０内で終端する複数のラグ溝４０と、タイヤ周方向における位置がラグ溝４０同士の間に位置し、トレッド接地面３から凹んで形成されてトレッド接地面３からの深さが一律である標章部５０と、を備える。【選択図】図２
2020131913.tif 000002
【特許請求の範囲】
【請求項１】
タイヤ周方向に延びる複数の主溝と、
前記主溝により区画される複数の陸部と、
タイヤ幅方向に延びると共に、少なくとも一端が前記陸部内で終端する複数のラグ溝と、
タイヤ周方向における位置が前記ラグ溝同士の間に位置し、トレッド接地面から凹んで形成される標章部と、
を備えることを特徴とする空気入りタイヤ。
【請求項２】
前記標章部は、前記トレッド接地面からの深さが一律である請求項１に記載の空気入りタイヤ。
【請求項３】
前記標章部は、前記トレッド接地面に形成される溝からなり、
前記標章部の溝幅Ｗは、Ｗ≧１．５ｍｍである請求項１または２に記載の空気入りタイヤ。
【請求項４】
前記標章部の深さＤは、前記主溝の溝深さＨに対して、Ｄ／Ｈ≦０．１である請求項１〜３のいずれか１項に記載の空気入りタイヤ。
【請求項５】
複数の前記ラグ溝は、前記標章部が形成される前記陸部を区画する前記主溝と前記ラグ溝の終端部とのタイヤ幅方向における距離が異なる長尺ラグ溝と短尺ラグ溝とを有しており、
前記長尺ラグ溝は、前記終端部と前記主溝とのタイヤ幅方向における距離が、前記短尺ラグ溝の前記終端部と前記主溝とのタイヤ幅方向における距離よりも小さくなっており、
前記標章部は、タイヤ周方向における位置が前記長尺ラグ溝同士の間に位置する請求項１〜４のいずれか１項に記載の空気入りタイヤ。
【請求項６】
前記長尺ラグ溝と前記短尺ラグ溝とは、タイヤ周方向に交互に配置される請求項５に記載の空気入りタイヤ。
【請求項７】
タイヤ周方向に延びて溝幅が前記主溝の溝幅よりも狭い周方向細溝を備え、
前記標章部は、前記主溝と前記周方向細溝との間に配置される請求項１〜６のいずれか１項に記載の空気入りタイヤ。
【発明の詳細な説明】
【技術分野】
【０００１】
本発明は、空気入りタイヤに関する。
【背景技術】
【０００２】
空気入りタイヤでは、濡れた路面の走行時におけるトレッド踏面と路面との間の水の排出等を目的としてトレッド部の表面に溝が複数形成されている。さらに、近年では、トレッド部の表面に様々な情報を表示するものが提案されている。例えば、特許文献１には、トレッド部の表面に各種注意事項を刻印によって表示することが記載されている。また、特許文献２には、細溝で形成されトレッド面に深さが異なる複数のインジケータを備え、インジケータの表示形状と深さとを対応させることにより、現在の溝の残存深さを読み取れるようにすることが記載されている。
【先行技術文献】
【特許文献】
【０００３】
【特許文献１】実開昭５８−９３５０４号公報
【特許文献２】特開２００１−３０７２１号公報
【発明の概要】
【発明が解決しようとする課題】
【０００４】
しかしながら、トレッド部の表面に、刻印や細溝によって文字等の標章を形成する場合、標章が形成される部分にはトレッドゴムが配置されないことになるため、標章の大きさや深さによっては、トレッドゴムが配置されない部分の体積が大きくなることになる。この場合、トレッドゴムの体積がタイヤ周上で不均一になる虞があり、これに起因してユニフォミティが悪化する虞があった。
【０００５】
本発明は、上記に鑑みてなされたものであって、ユニフォミティの悪化を抑制しつつ、標章を配置することのできる空気入りタイヤを提供することを目的とする。
【課題を解決するための手段】
【０００６】
上述した課題を解決し、目的を達成するために、本発明に係る空気入りタイヤは、タイヤ周方向に延びる複数の主溝と、前記主溝により区画される複数の陸部と、タイヤ幅方向に延びると共に、少なくとも一端が前記陸部内で終端する複数のラグ溝と、タイヤ周方向における位置が前記ラグ溝同士の間に位置し、トレッド接地面から凹んで形成される標章部と、を備えることを特徴とする。
【０００７】
また、上記空気入りタイヤにおいて、前記標章部は、前記トレッド接地面からの深さが一律であることが好ましい。
【０００８】
また、上記空気入りタイヤにおいて、前記標章部は、前記トレッド接地面に形成される溝からなり、前記標章部の溝幅Ｗは、Ｗ≧１．５ｍｍであることが好ましい。
【０００９】
また、上記空気入りタイヤにおいて、前記標章部の深さＤは、前記主溝の溝深さＨに対して、Ｄ／Ｈ≦０．１であることが好ましい。
【００１０】
また、上記空気入りタイヤにおいて、複数の前記ラグ溝は、前記標章部が形成される前記陸部を区画する前記主溝と前記ラグ溝の終端部とのタイヤ幅方向における距離が異なる長尺ラグ溝と短尺ラグ溝とを有しており、前記長尺ラグ溝は、前記終端部と前記主溝とのタイヤ幅方向における距離が、前記短尺ラグ溝の前記終端部と前記主溝とのタイヤ幅方向における距離よりも小さくなっており、前記標章部は、タイヤ周方向における位置が前記長尺ラグ溝同士の間に位置することが好ましい。
【００１１】
また、上記空気入りタイヤにおいて、前記長尺ラグ溝と前記短尺ラグ溝とは、タイヤ周方向に交互に配置されることが好ましい。
【００１２】
また、上記空気入りタイヤにおいて、タイヤ周方向に延びて溝幅が前記主溝の溝幅よりも狭い周方向細溝を備え、前記標章部は、前記主溝と前記周方向細溝との間に配置されることが好ましい。
【発明の効果】
【００１３】
本発明に係る空気入りタイヤは、ユニフォミティの悪化を抑制しつつ、標章を配置することができる、という効果を奏する。
【図面の簡単な説明】
【００１４】
【図１】図１は、実施形態に係る空気入りタイヤの要部を示す子午断面図である。
【図２】図２は、図１に示す空気入りタイヤのトレッド部の平面図である。
【図３】図３は、図２に示す外側センター主溝と周方向細溝とにより区画されるセカンド陸部の詳細図である。
【図４】図４は、図３に示す標章部の詳細図である。
【図５】図５は、図４のＡ−Ａ断面図である。
【図６】図６は、空気入りタイヤの性能評価試験の結果を示す図表である。
【発明を実施するための形態】
【００１５】
以下に、本発明に係る空気入りタイヤの実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００１６】
［実施形態］
［空気入りタイヤ］
以下の説明において、タイヤ径方向とは、空気入りタイヤ１の回転軸であるタイヤ回転軸（図示省略）と直交する方向をいい、タイヤ径方向内側とはタイヤ径方向においてタイヤ回転軸に向かう側、タイヤ径方向外側とはタイヤ径方向においてタイヤ回転軸から離れる側をいう。また、タイヤ周方向とは、タイヤ回転軸を中心軸とする周り方向をいう。また、タイヤ幅方向とは、タイヤ回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、タイヤ回転軸に直交すると共に、空気入りタイヤ１のタイヤ幅の中心を通る平面であり、タイヤ赤道面ＣＬは、空気入りタイヤ１のタイヤ幅方向における中心位置であるタイヤ幅方向中心線と、タイヤ幅方向における位置が一致する。タイヤ幅は、タイヤ幅方向において最も外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。
【００１７】
図１は、実施形態に係る空気入りタイヤ１の要部を示す子午断面図である。図１に示す空気入りタイヤ１は、車両に対する装着方向、つまり車両装着時の方向が指定されている。即ち、図１に示す空気入りタイヤ１は、車両装着時に車両の内側に向く側が車両装着方向内側となり、車両装着時に車両の外側に向く側が車両装着方向外側となる。なお、車両装着方向内側及び車両装着方向外側の指定は、車両に装着した場合に限らない。例えば、リム組みした場合に、タイヤ幅方向において、車両の内側及び外側に対するリムの向きが決まっているため、空気入りタイヤ１は、リム組みした場合、タイヤ幅方向において、車両装着方向内側及び車両装着方向外側に対する向きが指定される。また、空気入りタイヤ１は、車両に対する装着方向を示す装着方向表示部（図示省略）を有する。装着方向表示部は、例えば、タイヤのサイドウォール部８に付されたマークや凹凸によって構成される。例えば、ＥＣＥＲ３０（欧州経済委員会規則第３０条）が、車両装着状態にて車両装着方向外側となるサイドウォール部８に装着方向表示部を設けることを義務付けている。
【００１８】
本実施形態に係る空気入りタイヤ１は、タイヤ子午断面で見た場合、タイヤ径方向の最も外側となる部分にタイヤ周方向に延在して環状に形成されるトレッド部２が配設されており、トレッド部２は、ゴム組成物から成るトレッドゴム４を有している。また、トレッド部２の表面、即ち、空気入りタイヤ１を装着する車両（図示省略）の走行時に路面と接触する部分は、トレッド接地面３として形成され、トレッド接地面３は、空気入りタイヤ１の輪郭の一部を構成している。トレッド部２には、トレッド接地面３にタイヤ周方向に延びる主溝３０が複数形成されており、複数の主溝３０により、トレッド部２の表面には複数の陸部２０が区画されている。
【００１９】
タイヤ幅方向におけるトレッド部２の両外側端にはショルダー部５が位置しており、ショルダー部５のタイヤ径方向内側には、一対のサイドウォール部８が配設されている。即ち、一対のサイドウォール部８は、トレッド部２のタイヤ幅方向両側に配設されている。このように形成されるサイドウォール部８は、空気入りタイヤ１におけるタイヤ幅方向の最も外側に露出する部分を形成している。
【００２０】
一対のサイドウォール部８のそれぞれのタイヤ径方向内側には、ビード部１０が配設されている。ビード部１０は、タイヤ赤道面ＣＬの両側２箇所に配設されており、即ち、ビード部１０は、一対がタイヤ赤道面ＣＬのタイヤ幅方向における両側に配設されている。また、各ビード部１０には、それぞれビードコア１１が設けられており、ビードコア１１のタイヤ径方向外側にはビードフィラー１２が設けられている。ビードコア１１は、スチールワイヤであるビードワイヤを束ねて円環状に形成される環状部材になっている。ビードフィラー１２は、ビードコア１１のタイヤ径方向外側に配設されるゴム部材になっている。
【００２１】
また、トレッド部２にはベルト層１４が配設されている。ベルト層１４は、複数のベルト１４１、１４２と、ベルトカバー１４３とが積層される多層構造によって構成されており、本実施形態では、２層のベルト１４１、１４２が積層されている。ベルト層１４を構成するベルト１４１、１４２は、スチール、またはポリエステルやレーヨンやナイロン等の有機繊維材から成る複数のベルトコードをコートゴムで被覆して圧延加工して構成され、タイヤ周方向に対するベルトコードの傾斜角として定義されるベルト角度が、所定の範囲内（例えば、２０°以上５５°以下）になっている。また、２層のベルト１４１、１４２は、ベルト角度が互いに異なっている。このため、ベルト層１４は、２層のベルト１４１、１４２が、ベルトコードの傾斜方向を相互に交差させて積層される、いわゆるクロスプライ構造として構成されている。つまり、２層のベルト１４１、１４２は、それぞれのベルト１４１、１４２が有するベルトコードが互いに交差する向きで配設される、いわゆる一対の交差ベルトとして設けられている。
【００２２】
また、ベルトカバー１４３は、スチール、またはポリエステルやレーヨンやナイロン等の有機繊維材から成る複数のベルトカバーコードをコートゴムで被覆して圧延加工して構成され、タイヤ周方向に対するベルトカバーコードの傾斜角として定義されるベルト角度が、所定の範囲内（例えば、０°以上１０°以下）になっている。また、ベルトカバー１４３は、例えば、１本あるいは複数本のベルトカバーコードをコートゴムで被覆して成るストリップ材であり、このストリップ材を２層のベルト１４１、１４２のタイヤ径方向外側から、タイヤ回転軸を中心とする螺旋状に巻き付けることにより構成される。
【００２３】
ベルト層１４のタイヤ径方向内側、及びサイドウォール部８のタイヤ赤道面ＣＬ側には、ラジアルプライのコードを内包するカーカス層１３が連続して設けられている。このため、本実施形態に係る空気入りタイヤ１は、いわゆるラジアルタイヤとして構成されている。カーカス層１３は、１枚のカーカスプライから成る単層構造、或いは複数のカーカスプライを積層して成る多層構造を有し、タイヤ幅方向の両側に配設される一対のビード部１０間にトロイダル状に架け渡されてタイヤの骨格を構成する。
【００２４】
詳しくは、カーカス層１３は、タイヤ幅方向における両側に位置する一対のビード部１０のうち、一方のビード部１０から他方のビード部１０にかけて配設されており、ビードコア１１及びビードフィラー１２を包み込むようにビード部１０でビードコア１１に沿ってタイヤ幅方向外側に巻き返されている。ビードフィラー１２は、このようにカーカス層１３がビード部１０で折り返されることにより、ビードコア１１のタイヤ径方向外側に形成される空間に配置されるゴム材になっている。また、ベルト層１４は、このように一対のビード部１０間に架け渡されるカーカス層１３における、トレッド部２に位置する部分のタイヤ径方向外側に配置されている。また、カーカス層１３のカーカスプライは、スチール、或いはアラミド、ナイロン、ポリエステル、レーヨン等の有機繊維材から成る複数のカーカスコードを、コートゴムで被覆して圧延加工することによって構成されている。カーカスプライを構成するカーカスコードは、タイヤ周方向に対する角度がタイヤ子午線方向に沿いつつ、タイヤ周方向にある角度を持って複数並設されている。
【００２５】
ビード部１０における、ビードコア１１及びカーカス層１３の巻き返し部のタイヤ径方向内側やタイヤ幅方向外側には、リムフランジＲに対するビード部１０の接触面を構成するリムクッションゴム１７が配設されている。また、カーカス層１３の内側、或いは、当該カーカス層１３の、空気入りタイヤ１における内部側には、インナーライナ１６がカーカス層１３に沿って形成されている。インナーライナ１６は、空気入りタイヤ１の内側の表面であるタイヤ内面１８を形成している。
【００２６】
［トレッドパターン］
図２は、図１に示す空気入りタイヤ１のトレッド部２の平面図である。トレッド部２に形成される主溝３０は、本実施形態では３本が形成されている。３本の主溝３０は、タイヤ赤道面ＣＬの両側に１本ずつ配置されるセンター主溝３１、３２と、２本のセンター主溝３１、３２のうち一方のセンター主溝３１のタイヤ幅方向外側に配置される１本のショルダー主溝３３とを有している。以下の説明では、２本のセンター主溝３１、３２のうち、タイヤ赤道面ＣＬに対して車両装着方向内側に配置されるセンター主溝３１は、内側センター主溝３１と呼び、タイヤ赤道面ＣＬに対して車両装着方向外側に配置されるセンター主溝３２は、外側センター主溝３２と呼ぶ。また、ショルダー主溝３３は、内側センター主溝３１と接地端Ｔとの間に配設されており、即ち、ショルダー主溝３３は、内側センター主溝３１より車両装着方向内側に配置されている。これらにより、３本の主溝３０は、全て接地端Ｔのタイヤ幅方向内側に配設されている。
【００２７】
ここでいう接地端Ｔは、空気入りタイヤ１を規定リムにリム組みして規定内圧を充填し、静止状態にて平板に対して垂直に置かれて規定荷重に相当する荷重を加えられたときの、トレッド接地面３における平板に接触する領域のタイヤ幅方向の両最外端をいい、タイヤ周方向に連続する。ここでいう規定リムとは、ＪＡＴＭＡで規定する「標準リム」、ＴＲＡで規定する「Design  Rim」、或いは、ＥＴＲＴＯで規定する「Measuring  Rim」である。また、規定内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、或いはＥＴＲＴＯで規定する「INFLATION  PRESSURES」である。また、規定荷重とは、ＪＡＴＭＡで規定する「最大負荷能力」、ＴＲＡで規定する「TIRE  LOAD  LIMITS  AT  VARIOUS  COLD  INFLATION  PRESSURES」の最大値、或いはＥＴＲＴＯで規定する「LOAD  CAPACITY」である。
【００２８】
また、主溝３０とは、少なくとも一部がタイヤ周方向に延在する縦溝をいう。一般に主溝３０は、３．０ｍｍ以上の溝幅を有し、６．０ｍｍ以上の溝深さを有し、摩耗末期を示すトレッドウェアインジケータ（スリップサイン）を内部に有する。本実施形態では、主溝３０は、溝幅が５．０ｍｍ以上２５．０ｍｍ以下の範囲内になっており、溝深さが５．０ｍｍ以上１２．０ｍｍ以下の範囲内になっている。また、本実施形態では、主溝３０は、タイヤ赤道面ＣＬとトレッド接地面３とが交差するタイヤ赤道線（センターライン）と実質的に平行になっている。主溝３０は、タイヤ周方向に直線状に延在してもよく、タイヤ周方向に延びつつタイヤ幅方向に振幅する波形状やジグザグ状に設けられてもよい。
【００２９】
溝幅は、タイヤを規定リムに装着して規定内圧を充填した無負荷状態にて、溝開口部における、対向する溝壁同士の距離の最大値として測定される。陸部が切欠部や面取部をエッジ部に有する構成では、溝長さ方向を法線方向とする断面視にて、トレッド接地面３と溝壁の延長線との交点を測定点として、溝幅が測定される。また、溝がタイヤ周方向にジグザグ状あるいは波状に延在する構成では、溝壁の振幅の中心線を測定点として、溝幅が測定される。
【００３０】
溝深さは、タイヤを規定リムに装着して規定内圧を充填した無負荷状態にて、トレッド接地面３から溝底までの距離の最大値として測定される。また、溝が部分的な凹凸部やサイプを溝底に有する構成では、これらを除外して溝深さが測定される。
【００３１】
また、トレッド部２には、タイヤ周方向に延びて溝幅が主溝３０の溝幅よりも狭い周方向細溝３５が形成されている。周方向細溝３５は、外側センター主溝３２よりも車両装着方向外側に配置されており、外側センター主溝３２と接地端Ｔとの間に配設されている。このため、周方向細溝３５は、主溝３０と同様に接地端Ｔのタイヤ幅方向内側に配設されている。このように形成される周方向細溝３５は、溝幅が３．０ｍｍ以上７．０ｍｍ以下の範囲内になっている。また、周方向細溝３５は、溝深さが主溝３０の溝深さよりも浅くなっており、周方向細溝３５の溝深さは、３．０ｍｍ以上７．０ｍｍ以下の範囲内になっている。
【００３２】
トレッド部２は、これらのように形成される複数の主溝３０と周方向細溝３５とにより、複数の陸部２０が区画されており、具体的には、センター陸部２１と、セカンド陸部２２と、ショルダー陸部２３とを有している。このうち、センター陸部２１は、内側センター主溝３１と外側センター主溝３２との間に位置する陸部２０になっている。セカンド陸部２２は、内側センター主溝３１とショルダー主溝３３との間、及び外側センター主溝３２と周方向細溝３５との間に位置する陸部２０になっている。ショルダー陸部２３は、ショルダー主溝３３のタイヤ幅方向外側、及び周方向細溝３５のタイヤ幅方向外側に位置する陸部２０になっている。即ち、セカンド陸部２２とショルダー陸部２３とは、それぞれタイヤ赤道面ＣＬのタイヤ幅方向における両側に配置されている。
【００３３】
また、トレッド部２には、タイヤ幅方向に延びるラグ溝４０が複数形成されている。ラグ溝４０としては、センターラグ溝４１と、セカンドラグ溝４２と、ショルダーラグ溝４３と、クローズドラグ溝４５とが設けられている。このうち、センターラグ溝４１は、センター陸部２１に形成されており、一端が内側センター主溝３１に開口し、他端はセンター陸部２１内で終端している。また、セカンドラグ溝４２は、内側センター主溝３１とショルダー主溝３３とにより区画されるセカンド陸部２２に形成されており、一端がショルダー主溝３３に開口し、他端はセカンド陸部２２内で終端している。また、ショルダーラグ溝４３は、タイヤ幅方向における両側のショルダー陸部２３にそれぞれ形成され、接地端Ｔに対してタイヤ幅方向に交差すると共に、タイヤ幅方向内側の端部がショルダー陸部２３内で終端している。また、クローズドラグ溝４５は、周方向細溝３５に対してタイヤ幅方向に交差して形成されており、一端が外側センター主溝３２と周方向細溝３５とにより区画されるセカンド陸部２２内で終端し、他端が周方向細溝３５のタイヤ幅方向外側に位置するショルダー陸部２３内で終端している。
【００３４】
これらのように形成されるセンターラグ溝４１、セカンドラグ溝４２、ショルダーラグ溝４３、クローズドラグ溝４５は、それぞれ複数がタイヤ周方向に並んで配置されている。また、各ラグ溝４０は、両端のいずれもが主溝３０に開口しておらず、各陸部２０は、ラグ溝４０によってタイヤ周方向に分断されることなく形成されている。このため、各陸部２０は、タイヤ周方向に連続して形成される、いわゆるリブ状の陸部２０になっている。なお、各ラグ溝４０は、タイヤ幅方向に直線状に延在してもよく、タイヤ幅方向に延びつつタイヤ周方向に傾斜したり、タイヤ幅方向に延びつつタイヤ周方向に湾曲したり屈曲したりして形成されていてもよい。
【００３５】
また、トレッド部２には、複数のサイプ３８が形成されている。ここでいうサイプ３８は、溝幅がラグ溝４０の溝幅より狭い細溝状に形成されるものであり、空気入りタイヤ１を規定リムにリム組みし、規定内圧の内圧条件で、無負荷時にはサイプ３８を構成する壁面同士が接触しないが、平板上で垂直方向に負荷させたときの平板上に形成される接地面の部分に、サイプ３８が配置される陸部２０が位置する際、またはサイプ３８が配置される陸部２０の倒れ込み時には、当該サイプ３８を構成する壁面同士、或いは壁面に設けられる部位の少なくとも一部が、陸部２０の変形によって互いに接触するものをいう。このように形成されるサイプ３８は、内側センター主溝３１とショルダー主溝３３との間に位置するセカンド陸部２２と、ショルダー主溝３３のタイヤ幅方向外側に位置するショルダー陸部２３とに形成されている。
【００３６】
さらに、トレッド部２のトレッド接地面３には、トレッド接地面３から凹んで形成される標章部５０が配設されている。本実施形態では、標章部５０は、主溝３０と周方向細溝３５との間に配置されており、即ち、標章部５０は、外側センター主溝３２と周方向細溝３５とにより区画されるセカンド陸部２２に形成されている。このため、標章部５０は、タイヤ赤道面ＣＬよりも車両装着方向外側に配置されている。標章部５０は、任意の文字や図形、記号である標章を表す部位になっている。
【００３７】
図３は、図２に示す外側センター主溝３２と周方向細溝３５とにより区画されるセカンド陸部２２の詳細図である。周方向細溝３５に対して交差するラグ溝４０であるクローズドラグ溝４５は、標章部５０が形成されるセカンド陸部２２を区画する主溝３０である外側センター主溝３２と、クローズドラグ溝４５の終端部４８とのタイヤ幅方向における距離が異なる長尺ラグ溝４６と短尺ラグ溝４７とを有している。つまり、複数のクローズドラグ溝４５は、延在方向における長さが異なる長尺ラグ溝４６と短尺ラグ溝４７とを有している。クローズドラグ溝４５である長尺ラグ溝４６と短尺ラグ溝４７とは、溝幅が２．０ｍｍ以上８．０ｍｍ以下の範囲内になっており、溝深さが１．０ｍｍ以上７．０ｍｍ以下の範囲内になっている。
【００３８】
長尺ラグ溝４６と短尺ラグ溝４７とは、ショルダー陸部２３内で終端する側のそれぞれの終端部４８のタイヤ幅方向における位置が、ほぼ同じ位置になっている。これに対し、セカンド陸部２２内で終端する側の長尺ラグ溝４６の終端部４８と短尺ラグ溝４７の終端部４８とは、タイヤ幅方向における位置が互いに異なっており、これにより、長尺ラグ溝４６の終端部４８と短尺ラグ溝４７の終端部４８とは、外側センター主溝３２とのタイヤ幅方向における距離が互いに異なっている。
【００３９】
詳しくは、長尺ラグ溝４６は、全長が短尺ラグ溝４７の全長よりも長くなっており、長尺ラグ溝４６の終端部４８のタイヤ幅方向における位置は、短尺ラグ溝４７の終端部４８のタイヤ幅方向における位置よりもタイヤ幅方向内側に位置している。このため、長尺ラグ溝４６は、終端部４８と外側センター主溝３２とのタイヤ幅方向における距離ＢＬが、短尺ラグ溝４７の終端部４８と外側センター主溝３２とのタイヤ幅方向における距離ＢＳよりも小さくなっている。これらのように形成される長尺ラグ溝４６と短尺ラグ溝４７とは、タイヤ周方向に交互に配置されている。
【００４０】
セカンド陸部２２に形成される標章部５０は、タイヤ周方向における位置が、セカンド陸部２２に形成されるラグ溝４０同士の間に位置しており、具体的には、標章部５０は、タイヤ周方向における位置が長尺ラグ溝４６同士の間に位置している。
【００４１】
［標章部］
図４は、図３に示す標章部５０の詳細図である。標章部５０は、本実施形態では文字が表されており、複数の文字がタイヤ周方向に並んでいる。標章部５０によって表されるそれぞれの文字は、トレッド接地面３に形成される溝からなり、溝が組み合わされることにより、標章部５０は平面視において任意の文字を表す形状になっている。即ち、標章部５０は、文字を構成する線が、トレッド接地面３に形成される溝により形成されている。このように、トレッド接地面３に形成される溝が組み合わされることにより文字を表す標章部５０の溝の溝幅Ｗは、Ｗ≧１．５ｍｍになっている。なお、標章部５０の溝の溝幅Ｗは、２ｍｍ≦Ｗ≦４ｍｍの範囲内であるのが好ましい。
【００４２】
図５は、図４のＡ−Ａ断面図である。標章部５０を形成する溝は、トレッド接地面３からの深さが変化しておらず、標章部５０は、トレッド接地面３からの深さが一律になっている。なお、この場合における「深さが一律」とは、標章部５０においてトレッド接地面３からの深さが最も浅い位置と最も深い位置との深さ差が、０．１ｍｍ以下となる状態をいう。このように、トレッド接地面３からの深さが一律になっている標章部５０の深さＤは、主溝３０の溝深さＨに対して、Ｄ／Ｈ≦０．１になっている。なお、主溝３０の溝深さＨに対する標章部５０の深さＤは、０．０５≦Ｄ／Ｈ≦０．０８の範囲内であるのが好ましい。また、標章部５０の深さＤは、０．１ｍｍ以上１．０ｍｍ以下の範囲内であるのが好ましい。
【００４３】
複数の文字がタイヤ周方向に並んで形成される標章部５０は、タイヤ周方向における位置が長尺ラグ溝４６同士の間に位置しているため、標章部５０は、一部の位置のタイヤ周方向における位置が、短尺ラグ溝４７のタイヤ周方向における位置と同じ位置になっている。
【００４４】
また、標章部５０は、タイヤ周方向における位置が長尺ラグ溝４６同士の間に位置しているため、標章部５０のタイヤ周方向の全長ＥＬは、タイヤ周方向に隣り合う長尺ラグ溝４６同士のタイヤ周方向における距離、即ち、長尺ラグ溝４６のタイヤ周方向におけるピッチＰよりも短くなっている。標章部５０のタイヤ周方向の全長ＥＬは、長尺ラグ溝４６のタイヤ周方向におけるピッチＰに対して、０．３≦ＥＬ／Ｐ≦０．７の範囲内であるのが好ましい。
【００４５】
また、標章部５０は、タイヤ幅方向における最大幅ＥＷが、標章部５０が形成される陸部２０であるセカンド陸部２２のタイヤ幅方向における幅ＲＷに対して、０．０５≦ＥＷ／ＲＷ≦０．５の範囲内になっている。この場合におけるセカンド陸部２２のタイヤ幅方向における幅ＲＷは、タイヤ周方向における位置が標章部５０のタイヤ周方向における位置と同じ位置となる範囲内における、最大幅になっている。
【００４６】
さらに、標章部５０は、セカンド陸部２２を区画する外側センター主溝３２や周方向細溝３５に対してタイヤ幅方向に離間しており、タイヤ周方向における位置が標章部５０の一部のタイヤ周方向における位置と同じ位置になる短尺ラグ溝４７に対しても、タイヤ幅方向に離間している。また、標章部５０は、タイヤ周方向おいて標章部５０の両側に位置する長尺ラグ溝４６に対しても、離間して配置されている。標章部５０と、外側センター主溝３２や周方向細溝３５、短尺ラグ溝４７、長尺ラグ溝４６との距離Ｆは、それぞれ２．０ｍｍ以上になっている。また、標章部５０と、外側センター主溝３２や周方向細溝３５、短尺ラグ溝４７、長尺ラグ溝４６との距離Ｆは、標章部５０の最大幅ＥＷに対して、３０％以上であるのが好ましい。
【００４７】
これらのように形成される標章部５０は、本実施形態ではタイヤ周上の８箇所に配置されており、８箇所の標章部５０は、タイヤ周方向にほぼ等間隔で配置されている。８箇所の標章部５０は、それぞれの標章部５０の全長ＥＬの総和ＥＬＡＬＬが、標章部５０が形成される陸部２０の位置でのタイヤ周長ＲＬ、即ち、セカンド陸部２２の位置でのタイヤ周長ＲＬに対して、０．０１≦ＥＬＡＬＬ／ＲＬ≦０．３０の範囲内になっている。
【００４８】
［作用・効果］
本実施形態に係る空気入りタイヤ１を車両に装着する際には、ビード部１０にリムホイールを嵌合することによってリムホイールに空気入りタイヤ１をリム組みし、内部に空気を充填してインフレートした状態で車両に装着する。その際に、本実施形態に係る空気入りタイヤ１は、車両に対する装着方向が指定されているため、指定されている方向で車両に装着する。即ち、サイドウォール部８に付された装着方向表示部によって指定されている方向で車両に装着する。
【００４９】
空気入りタイヤ１を装着した車両が走行すると、トレッド部２のトレッド接地面３のうち下方に位置するトレッド接地面３が路面に接触しながら空気入りタイヤ１は回転する。空気入りタイヤ１を装着した車両で乾燥した路面を走行する場合には、主にトレッド接地面３と路面との間の摩擦力により、駆動力や制動力を路面に伝達したり、旋回力を発生させたりすることにより走行する。また、濡れた路面を走行する際には、トレッド接地面３と路面との間の水が主溝３０や周方向細溝３５、ラグ溝４０等の溝に入り込み、これらの溝でトレッド接地面３と路面との間の水を排水しながら走行する。これにより、トレッド接地面３は路面に接地し易くなり、トレッド接地面３と路面との間の摩擦力により、車両は走行することが可能になる。
【００５０】
また、本実施形態に係る空気入りタイヤ１は、トレッド部２に、トレッド接地面３から凹んで形成される標章部５０を有しており、標章部５０によって任意の情報を表示することが可能になっている。ここで、このようにトレッド接地面３から凹んで標章部５０が形成される場合、標章部５０の位置にはトレッドゴム４が配置されないことになるため、標章部５０の大きさや配置される位置によっては、タイヤ周上におけるトレッドゴム４の体積が大きく不均一になる虞がある。トレッドゴム４の体積が大きく不均一になった場合、空気入りタイヤ１のユニフォミティが悪化する虞があるが、本実施形態に係る空気入りタイヤ１では、標章部５０は、タイヤ周方向における位置がラグ溝４０同士の間に位置している。このため、トレッド部２に、トレッド接地面３から凹む標章部５０を形成しても、トレッドゴム４が配置されない部分が、タイヤ周上において局部的に集中することを抑制することができ、タイヤ周上におけるトレッドゴム４の体積が不均一になることを、極力低減することができる。これにより、トレッドゴム４の体積がタイヤ周上で大きく不均一になることに起因して、ユニフォミティが悪化することを抑制することができる。この結果、ユニフォミティの悪化を抑制しつつ、標章部５０を配置することができ、即ち、ユニフォミティの悪化を抑制しつつ、トレッド接地面３に標章を配置することができる。
【００５１】
また、ラグ溝４０同士の間の部分は、多くのトレッドゴム４が必要になるが、空気入りタイヤ１の製造時における加硫成形の工程で、加硫成形に用いる金型におけるラグ溝４０同士の間の部分にトレッドゴム４が十分に行き渡らなかった場合、トレッド接地面３の一部が若干凹んだような外観故障が発生する虞がある。これに対し、ラグ溝４０同士の間に、トレッド接地面３から凹んで形成される標章部５０を配置した場合、ラグ溝４０同士の間の部分で必要なトレッドゴム４の量を減らすことができるため、タイヤの加硫成形時に、金型におけるラグ溝４０同士の間の部分に、トレッドゴム４を適切に行き渡らせることができる。これにより、タイヤの加硫成形時に、金型におけるラグ溝４０同士の間の部分に行き渡らせるトレッドゴム４が不足することに起因して、加硫成形後のトレッド接地面３の一部が、若干凹んだような形状になることを抑制することができる。この結果、ラグ溝４０同士の間の部分での外観故障の発生を抑制することができる。
【００５２】
また、標章部５０は、トレッド接地面３からの深さが一律であるため、標章部５０を形成する位置の周囲において、トレッドゴム４の体積が大きく不均一になることを、より確実に抑制することができる。この結果、より確実にユニフォミティの悪化を抑制しつつ、標章部５０を配置することができる。
【００５３】
また、標章部５０は、標章部５０を形成する溝の溝幅ＷがＷ≧１．５ｍｍであるため、標章部５０の視認性を確保することができる。この結果、ユニフォミティの悪化を抑制しつつ、標章部５０の視認性を確保することができる。また、標章部５０を形成する溝の溝幅ＷがＷ≧１．５ｍｍであることにより、標章部５０の視認性を確保することができ、標章部５０によって外観を向上させることができる。この結果、デザイン性を向上させることができる。
【００５４】
また、標章部５０の深さＤは、主溝３０の溝深さＨに対してＤ／Ｈ≦０．１であり、主溝３０の溝深さＨに対して大幅に浅いため、標章部５０の体積が大きくなり過ぎることを抑制することができる。これにより、標章部５０を形成することによって、トレッドゴム４が配置されない部分が、タイヤ周上において局部的に集中することをより確実に抑制することができ、トレッドゴム４の体積がタイヤ周上で大きく不均一になることを、より確実に抑制することができる。この結果、より確実にユニフォミティの悪化を抑制しつつ、標章部５０を配置することができる。
【００５５】
また、ラグ溝４０は長尺ラグ溝４６と短尺ラグ溝４７とを有すると共に、標章部５０は、タイヤ周方向における位置が長尺ラグ溝４６同士の間に位置するため、標章部５０を配設する位置では、長尺ラグ溝４６と標章部５０とをタイヤ周方向に交互に並べることができる。これにより、トレッドゴム４が配置されない部分をタイヤ周方向に分散させることができ、トレッドゴム４の体積がタイヤ周上で大きく不均一になることを、より確実に抑制することができる。この結果、より確実にユニフォミティの悪化を抑制しつつ、標章部５０を配置することができる。
【００５６】
また、長尺ラグ溝４６と短尺ラグ溝４７とは、タイヤ周方向に交互に配置されるため、タイヤ周方向において長尺ラグ溝４６同士の間に位置する標章部５０は、タイヤ周方向において短尺ラグ溝４７が位置する部分付近に配置することができる。これにより、標章部５０は、タイヤ周方向における位置を、複数のラグ溝４０のうち体積が比較的小さい短尺ラグ溝４７のタイヤ周方向における位置と同じ位置にすることができるため、トレッドゴム４が配置されない部分が、タイヤ周上において局部的に集中することを抑制することができる。従って、より多くのラグ溝４０を配置することによって濡れた路面等での走行性能を確保しつつ、トレッドゴム４の体積がタイヤ周上で大きく不均一になることを抑制することができる。この結果、ユニフォミティの悪化を抑制しつつ、標章部５０を配置することと走行性能の確保とを両立することができる。
【００５７】
また、標章部５０は、主溝３０と周方向細溝３５との間に配置されるため、陸部２０の剛性を確保しつつ標章部５０を形成することができる。つまり、標章部５０が形成される陸部２０は、標章部５０の分、トレッドゴム４の体積が小さくなるため、剛性が低くなり易くなるが、周方向細溝３５によって区画される陸部２０は、タイヤ幅方向における両側が主溝３０によって区画される陸部２０と比較して剛性を確保し易くなっている。このため、標章部５０を、主溝３０と周方向細溝３５との間に配置し、周方向細溝３５によって区画される陸部２０に標章部５０を形成することにより、標章部５０を形成する陸部２０の剛性を確保することができる。これにより、トレッド部２に標章部５０を形成した際における陸部２０の剛性を確保することができ、陸部２０の剛性の低下に起因する走行性能の低下を抑制することができる。この結果、走行性能の低下を抑えつつ、標章部５０を配置することができる。
【００５８】
また、標章部５０は、タイヤ赤道面ＣＬよりも車両装着方向外側に配置されるため、空気入りタイヤ１単体の状態のみでなく、空気入りタイヤ１を車両に装着した状態でも、標章部５０を視認できる機会を増やすことができる。この結果、標章部５０による情報の報知性を高めることができる。
【００５９】
［変形例］
なお、上述した実施形態では、標章部５０がタイヤ周方向における間に配置されるラグ溝４０は、両端が陸部２０内で終端するクローズドラグ溝４５になっているが、標章部５０がタイヤ周方向における間に配置されるラグ溝４０は、両端が陸部２０内で終端していなくてもよい。標章部５０は、タイヤ周方向における位置が、少なくとも一端が陸部２０内で終端するラグ溝４０同士の間に位置することにより、トレッドゴム４が配置されない部分が、タイヤ周上において局部的に集中することを抑制することができる。これにより、タイヤ周上におけるトレッドゴム４の体積が不均一になることを、極力低減することができるため、ユニフォミティの悪化を抑制しつつ、標章部５０を配置することができる。
【００６０】
また、上述した実施形態では、標章部５０は、外側センター主溝３２と周方向細溝３５とにより区画されるセカンド陸部２２に配置されているが、標章部５０は、セカンド陸部２２以外に配置してもよく、タイヤ幅方向における両側が主溝３０によって区画される陸部２０に配置してもよい。その際に、標章部５０は、タイヤ赤道面ＣＬ上に位置する陸部２０以外の陸部２０に配置するのが好ましい。タイヤ赤道面ＣＬ上に位置する陸部２０は、車両の走行時に大きな荷重が長時間作用し易く、走行性能への影響が大きい陸部２０であるため、タイヤ赤道面ＣＬ上に位置する陸部２０以外の陸部２０に標章部５０を配置することにより、走行性能への影響を極力抑えつつ、標章部５０を配置することができる。
【００６１】
また、上述した実施形態では、標章部５０は、複数の文字がタイヤ周方向に並ぶものになっているが、標章部５０が、これ以外の形態であってもよい。標章部５０は、１つの文字であってもよく、図形や記号であったり、これらの組み合わせであったりしてもよい。また、標章部５０は、タイヤ周上に８箇所以外の数で配置されていてもよく、また、標章部５０は、複数の標章部５０が、タイヤ幅方向における位置が異なる陸部２０に配置されていてもよい。
【００６２】
また、トレッド部２のトレッドパターンは、実施形態以外のものであってもよい。トレッドパターンに関わらず、少なくとも一端が陸部２０内で終端するラグ溝４０同士の間の位置に、トレッド接地面３から凹んで形成される標章部５０を配置することにより、ユニフォミティの悪化を抑制しつつ、標章を配置することができる。
【００６３】
［実施例］
図６は、空気入りタイヤの性能評価試験の結果を示す図表である。以下、上記の空気入りタイヤ１について、従来例の空気入りタイヤと、本発明に係る空気入りタイヤ１とについて行なった性能の評価試験について説明する。性能評価試験は、ユニフォミティについての試験を行った。
【００６４】
性能評価試験は、ＪＡＴＭＡで規定されるタイヤの呼びが２４５／４０Ｒ１８  ９７Ｙサイズの空気入りタイヤ１を、ＪＡＴＭＡ標準のリムホイールにリム組みして、規定内圧を充填することにより行った。ユニフォミティの試験は、試験を行う空気入りタイヤにおいて、タイヤユニフォミティＪＡＳＯ  Ｃ６０７「自動車タイヤのユニフォミティ試験法」に規定の方法に準じてラジアルフォースバリエーション（ＲＦＶ）を測定した。ユニフォミティの評価は、この試験の測定結果を、後述する従来例１を１００とした指数評価によって行い、指数評価の数値が大きいほど均一性がよく、ユニフォミティが優れていることを示している。
【００６５】
性能評価試験は、従来の空気入りタイヤの一例である従来例１、２の空気入りタイヤと、本発明に係る空気入りタイヤ１である実施例１〜６との８種類の空気入りタイヤについて行った。このうち、従来例１の空気入りタイヤは、特許文献１のように、標章部５０がサイプを跨いで形成されている。また、従来例２の空気入りタイヤは、特許文献２のように、標章部５０は、陸部２０における、ラグ溝４０が形成されないプレーン部分に形成されている。
【００６６】
これに対し、本発明に係る空気入りタイヤ１の一例である実施例１〜６は全て、標章部５０のタイヤ周方向における位置がラグ溝４０同士の間に位置している。さらに、実施例１〜６に係る空気入りタイヤ１は、標章部５０の深さＤや、標章部５０の溝幅Ｗ、主溝３０の溝深さＨに対する標章部５０の深さＤ（Ｄ／Ｈ）が、それぞれ異なっている。
【００６７】
これらの空気入りタイヤ１を用いて性能評価試験を行った結果、図６に示すように、実施例１〜６に係る空気入りタイヤ１は、従来例１、２に対して、ユニフォミティを向上させることができることが分かった。つまり、実施例１〜６に係る空気入りタイヤ１は、ユニフォミティの悪化を抑制しつつ、標章を配置することができる。
【符号の説明】
【００６８】
１  空気入りタイヤ
２  トレッド部
３  トレッド接地面
４  トレッドゴム
８  サイドウォール部
１０  ビード部
１１  ビードコア
１２  ビードフィラー
１３  カーカス層
１４  ベルト層
２０  陸部
２１  センター陸部
２２  セカンド陸部
２３  ショルダー陸部
３０  主溝
３１  内側センター主溝
３２  外側センター主溝
３３  ショルダー主溝
３５  周方向細溝
３８  サイプ
４０  ラグ溝
４１  センターラグ溝
４２  セカンドラグ溝
４３  ショルダーラグ溝
４５  クローズドラグ溝
４６  長尺ラグ溝
４７  短尺ラグ溝
４８  終端部
５０  標章部
【図１】
2020131913.tif 000003
【図２】
2020131913.tif 000004
【図３】
2020131913.tif 000005
【図４】
2020131913.tif 000006
【図５】
2020131913.tif 000007
【図６】
2020131913.tif 000008